(57)【要約】  本発明に係るパッチ型コントローラは、底面または側面に、携帯電話、携帯電話ケースまたは無線通信デバイスに連結できるように形成された連結部と、上面に、ユーザが操作可能に形成された入力部と、を備える本体と；前記入力部を介して前記携帯電話または無線通信デバイスを制御する制御部と；を含む。前記連結部は、前記本体が着脱可能に形成され、一方の側面が本体の底面に配置された接着部材であり、前記接着部材の他方の側面は、前記携帯電話、携帯電話ケースまたは無線通信デバイスの一側に接着される。前記入力部は、方向キーの機能、マウスの機能及びスクロール機能のうちの少なくとも一つの方向性ＵＩ（Ｕｓｅｒ  Ｉｎｔｅｒｆａｃｅ）機能を行う方向入力部と；前記携帯電話または無線通信デバイスが備えている特定の機能を駆動させる機能入力部と；を含む。前記本体は、前記入力部及び制御部のうちの少なくとも一つに電源を供給するバッテリをさらに含む。前記制御部は、前記携帯電話、及び前記携帯電話と無線通信を介して駆動される駆動デバイスを同時に制御可能である【選択図】図１
2019530123.tif 000002
【特許請求の範囲】
【請求項１】
底面または側面に、携帯電話、携帯電話ケースまたは無線通信デバイスに連結できるように形成された連結部と、上面に、ユーザが操作可能に形成された入力部と、を備える本体と；
前記入力部を介して前記携帯電話または無線通信デバイスを制御する制御部と；
を含むパッチ型コントローラ。
【請求項２】
前記連結部は、前記本体が着脱可能に形成される請求項１に記載のパッチ型コントローラ。
【請求項３】
前記連結部は、一方の側面が前記本体の底面に配置された接着部材であり、前記接着部材の他方の側面は、前記携帯電話、携帯電話ケースまたは無線通信デバイスの一側に接着される請求項１に記載のパッチ型コントローラ。
【請求項４】
前記本体は、ユーザが指を挿入して前記携帯電話、携帯電話ケースまたは無線通信デバイスを支持できるように形成された支持部をさらに含む請求項３に記載のパッチ型コントローラ。
【請求項５】
前記支持部は、「Ｕ」字状に形成され、一方の端及び他方の端が前記本体の一方の側面及び他方の側面とそれぞれ連結されるが、前記支持部が前記本体から上下方向に回動可能に前記本体と連結される請求項４に記載のパッチ型コントローラ。
【請求項６】
前記本体の上面に配置される連結部材をさらに含み、前記支持部は、「Ｏ」字状に形成され、前記連結部材から上下方向に回動可能に前記連結部材と連結される請求項４に記載のパッチ型コントローラ。
【請求項７】
前記連結部材は、前記本体から左右方向に回動可能に前記本体の上面に設けられる請求項６に記載のパッチ型コントローラ。
【請求項８】
前記入力部は、
方向キーの機能、マウスの機能及びスクロール機能のうちの少なくとも一つの方向性ＵＩ（Ｕｓｅｒ  Ｉｎｔｅｒｆａｃｅ）機能を行う方向入力部と；
前記携帯電話または無線通信デバイスが備えている特定の機能を駆動させる機能入力部と；
を含む請求項１に記載のパッチ型コントローラ。
【請求項９】
前記方向入力部は、
側方向加圧に基づいて方向信号を発生させる方向入力ユニットと；
前記方向入力ユニットの中央部に配置され、下向き加圧によって前記方向信号とは異なる追加の信号を発生させる押圧ボタンと；
を含む請求項８に記載のパッチ型コントローラ。
【請求項１０】
前記追加の信号は、クリック信号またはエンター信号である請求項９に記載のパッチ型コントローラ。
【請求項１１】
前記追加の信号は、携帯電話の通話オン／オフ信号または携帯電話のスピーカフォン機能のオン／オフ信号である請求項９に記載のパッチ型コントローラ。
【請求項１２】
前記方向入力部から発生する方向信号の方向性を設定することができる設定ボタンをさらに含む請求項８に記載のパッチ型コントローラ。
【請求項１３】
前記携帯電話または無線通信デバイスには、前記方向入力部から発生する方向信号の方向性を設定するためのアプリケーションまたはプログラムがインストールされる請求項８に記載のパッチ型コントローラ。
【請求項１４】
前記機能入力部は、前記携帯電話または無線通信デバイスにインストールされた少なくとも一つの特定のアプリケーションを実行するための少なくとも一つの機能ボタンを含む請求項８に記載のパッチ型コントローラ。
【請求項１５】
前記機能ボタンによって実行される特定のアプリケーションを設定するための設定ボタンをさらに含む請求項１４に記載のパッチ型コントローラ。
【請求項１６】
前記携帯電話または無線通信デバイスには、前記機能ボタンによって実行される特定のアプリケーションを設定するためのアプリケーションまたはプログラムがインストールされる請求項１４に記載のパッチ型コントローラ。
【請求項１７】
前記機能入力部は、携帯電話または無線通信デバイスのホームボタン（Ｈｏｍｅ  Ｂｕｔｔｏｎ）、バックボタン（Ｂａｃｋ  Ｂｕｔｔｏｎ）及び特定のモードボタンのうちの少なくとも一つと対応する少なくとも一つのボタンを含む請求項８に記載のパッチ型コントローラ。
【請求項１８】
前記機能入力部は、携帯電話または無線通信デバイスにおいて音声を文字に変換したり、文字を音声に変換したりする機能を実現するボタンを含む請求項８に記載のパッチ型コントローラ。
【請求項１９】
前記本体は、前記入力部及び制御部のうちの少なくとも一つに電源を供給するバッテリをさらに含む請求項１に記載のパッチ型コントローラ。
【請求項２０】
前記本体は、前記バッテリを充電するためのコネクタ端子を含む請求項１９に記載のパッチ型コントローラ。
【請求項２１】
前記制御部は、前記携帯電話、及び前記携帯電話と無線通信を介して駆動される駆動デバイスを同時に制御可能である請求項１に記載のパッチ型コントローラ。
【請求項２２】
前記駆動デバイスはドローンであり、前記入力部によって前記ドローンの調整が可能である請求項２１に記載のパッチ型コントローラ。
【請求項２３】
前記ドローンに取り付けられたカメラによって撮影された映像は、前記携帯電話または無線通信デバイスに送信され、前記携帯電話または無線通信デバイスに備えられたディスプレイに出力される請求項２２に記載のパッチ型コントローラ。
【請求項２４】
前記本体の一側面からバー（Ｂａｒ）状に延在する延長バーと；
前記本体と対向する、前記延長バーの一端に配置される少なくとも一つの補助ボタンと；
をさらに含む請求項１に記載のパッチ型コントローラ。
【請求項２５】
前記入力部は、方向キーの機能、マウスの機能及びスクロール機能のうちの少なくとも一つの方向性ＵＩ（Ｕｓｅｒ  Ｉｎｔｅｒｆａｃｅ）機能を行う方向入力部と、前記携帯電話または無線通信デバイスが備えている特定の機能を駆動させる機能入力部と、を含み、
前記方向入力部は、側方向加圧に基づいて方向信号を発生させる方向入力ユニットと、前記方向入力ユニットの中央部に配置され、下向き加圧によって前記方向信号とは異なる追加の信号を発生させる押圧ボタンと、を含み、
前記機能入力部は、少なくとも一つの機能ボタンを含み、
前記補助ボタンは、前記押圧ボタンまたは前記機能ボタンの機能を行う請求項２４に記載のパッチ型コントローラ。
【請求項２６】
前記補助ボタンが前記携帯電話、携帯電話ケースまたは無線通信デバイスの側面に取り付けられるように、前記延長バーの先端は可撓性を有するように形成される請求項２４に記載のパッチ型コントローラ。
【請求項２７】
前記携帯電話が実装される携帯電話ケースには、前記本体を収容するホールまたは溝が形成される請求項１に記載のパッチ型コントローラ。
【請求項２８】
前記携帯電話ケースのホールまたは溝の内周面には第１の締結部を形成し、前記本体の、前記第１の締結部と対応する部分には第２の締結部を形成し、前記第１の締結部及び第２の締結部を相互結合させることにより、前記本体が前記携帯電話から脱落することを防止する請求項２７に記載のパッチ型コントローラ。
【請求項２９】
前記連結部は、前記本体の側面または底面から前記本体の側方向に延設され、前記携帯電話、携帯電話ケースまたは無線通信デバイスを据え置き可能な形状に形成される請求項１に記載のパッチ型コントローラ。
【請求項３０】
前記本体は、入力部を有する少なくとも２つの分割体からなり、
前記連結部は、前記少なくとも２つの分割体の間に配置されるように、前記連結部及び前記分割体が連結される請求項２９に記載のパッチ型コントローラ。
【発明の詳細な説明】
【技術分野】
【０００１】
本発明は、コントローラに関し、詳しくは、携帯電話または無線通信デバイスの入力信号を発生させることができるコントローラに関する。
【背景技術】
【０００２】
最近になって、スマートフォンなどの携帯可能な端末が多く発売されている。
【０００３】
一方、従来のスマートフォンの場合、携帯が簡便で通話本来の機能を充実させるために、小さなサイズの液晶が適用されていたが、最近のユーザにとっては、携帯性よりも広い画面でさらに多くの情報を得ることを好む傾向が続けられており、このために、大きなサイズの液晶を備えたスマートフォンがますます増加する傾向にある。
【０００４】
しかし、スマートフォンのサイズ増大により、ユーザの視覚的な快適感を満足させることができるが、スマートフォンを片手で制御することが難しくなるという問題がある。
【０００５】
また、スマートフォンの場合、ほとんどの入力は、タッチスクリーンを介して行われるが、スマートフォンを利用してゲームをする場合、精巧な操作が容易でないだけでなく、タッチスクリーン上に表示された操作ボタンを手で入力して操作する場合、操作ボタンや手がディスプレイを覆うという問題がある。
【発明の概要】
【発明が解決しようとする課題】
【０００６】
本発明に係るパッチ型コントローラは、上記問題を解決するためになされたものであり、次のような目的を有する。
【０００７】
本発明の目的は、大きいサイズのディスプレイを備える携帯端末にもかかわらず、ユーザが携帯端末を片手で自由に且つ簡単に操作できるように構成されたパッチ型コントローラを提供することである。
【０００８】
本発明が解決しようとする課題は、以上で言及したものに限定されず、言及していない他の解決課題は、下記の記載から、当該技術分野における通常の知識を有する者に明確に理解されるであろう。
【課題を解決するための手段】
【０００９】
本発明に係るパッチ型コントローラは、底面または側面に、携帯電話、携帯電話ケースまたは無線通信デバイスに連結できるように形成された連結部と、上面に、ユーザが操作可能に形成された入力部と、を備える本体と；前記入力部を介して前記携帯電話または無線通信デバイスを制御する制御部と；を含む。
【００１０】
前記連結部は、前記本体の側面または底面から前記本体の側方向に延設され、前記携帯電話、携帯電話ケースまたは無線通信デバイスを据え置き可能な形状に形成されることが好ましい。
【００１１】
前記本体は、入力部を有する少なくとも２つの分割体からなり、前記連結部は、前記少なくとも２つの分割体の間に配置されるように、前記連結部及び前記分割体が連結されることが好ましい。
【００１２】
前記連結部は、前記本体が着脱可能に形成されることが好ましい。
【００１３】
前記連結部は、一方の側面が前記本体の底面に配置された接着部材であり、前記接着部材の他方の側面は、前記携帯電話、携帯電話ケースまたは無線通信デバイスの一側に接着される
【００１４】
前記本体は、ユーザが指を挿入して前記携帯電話、携帯電話ケースまたは無線通信デバイスを支持できるように形成された支持部をさらに含むことが好ましい。
【００１５】
前記支持部は、「Ｕ」字状に形成され、一方の端及び他方の端が前記本体の一方の側面及び他方の側面とそれぞれ連結されるが、前記支持部が前記本体から上下方向に回動可能に前記本体と連結されることが好ましい。
【００１６】
前記本体の上面に配置される連結部材をさらに含み、前記支持部は、「Ｏ」字状に形成され、前記連結部材から上下方向に回動可能に前記連結部材と連結されることが好ましい。
【００１７】
前記連結部材は、前記本体から左右方向に回動可能に前記本体の上面に設けられることが好ましい。
【００１８】
前記入力部は、方向キーの機能、マウスの機能及びスクロール機能のうちの少なくとも一つの方向性ＵＩ（Ｕｓｅｒ  Ｉｎｔｅｒｆａｃｅ）機能を持つ方向入力部と、前記携帯電話または無線通信デバイスが備えている特定の機能を駆動させる機能入力部とを含むことが好ましい。
【００１９】
前記方向入力部は、側方向加圧に基づいて方向信号を発生させる方向入力ユニットと、
前記方向入力ユニットの中央部に配置され、下向き加圧によって前記方向信号とは異なる追加の信号を発生させる押圧ボタンとを含むことが好ましい。
【００２０】
前記追加の信号は、クリック信号またはエンター信号であることが好ましい。
【００２１】
前記追加の信号は、携帯電話の通話オン／オフ信号または携帯電話のスピーカフォン機能のオン／オフ信号であることが好ましい。
【００２２】
前記方向入力部から発生する方向信号の方向性を設定することができる設定ボタンをさらに含むことが好ましい。
【００２３】
前記携帯電話または無線通信デバイスには、前記方向入力部から発生する方向信号の方向性を設定するためのアプリケーションまたはプログラムがインストールされることが好ましい。
【００２４】
前記機能入力部は、前記携帯電話または無線通信デバイスにインストールされた少なくとも一つの特定のアプリケーションを実行するための少なくとも一つの機能ボタンを含むことが好ましい。
【００２５】
前記機能ボタンによって実行される特定のアプリケーションを設定するための設定ボタンをさらに含むことが好ましい。
【００２６】
前記携帯電話または無線通信デバイスには、前記機能ボタンによって実行される特定のアプリケーションを設定するためのアプリケーションまたはプログラムがインストールされることが好ましい。
【００２７】
前記機能入力部は、前記携帯電話または無線通信デバイスにインストールされた少なくとも一つの特定のアプリケーションまたは特定のプログラムを実行するための少なくとも一つのボタンを含むことが好ましい。
【００２８】
前記機能入力部は、携帯電話または無線通信デバイスのホームボタン（Ｈｏｍｅ  Ｂｕｔｔｏｎ）、バックボタン（Ｂａｃｋ  Ｂｕｔｔｏｎ）及び特定のモードボタンのうちの少なくとも一つと対応する少なくとも一つのボタンを含むことが好ましい。
【００２９】
前記機能入力部は、携帯電話または無線通信デバイスにおいて音声を文字に変換したり、文字を音声に変換したりする機能を実現するボタンを含むことが好ましい。
【００３０】
前記本体は、前記入力部及び制御部のうちの少なくとも一つに電源を供給するバッテリをさらに含むことが好ましい。
【００３１】
前記本体は、前記バッテリを充電するためのコネクタ端子を含むことが好ましい。
【００３２】
前記制御部は、前記携帯電話、及び前記携帯電話と無線通信を介して駆動される駆動デバイスを同時に制御可能であることが好ましい。
【００３３】
前記駆動デバイスはドローンであり、前記入力部によって前記ドローンの調整が可能であることが好ましい。
【００３４】
前記ドローンに取り付けられたカメラによって撮影された映像は、前記携帯電話または無線通信デバイスに送信され、前記携帯電話または無線通信デバイスに備えられたディスプレイに出力されることが好ましい。
【００３５】
前記本体の一側面からバー（Ｂａｒ）状に延在する延長バーと、前記本体と対向する、前記延長バーの一端に配置される少なくとも一つの補助ボタンとをさらに含むことが好ましい。 
【００３６】
前記入力部は、方向キーの機能、マウスの機能及びスクロール機能のうちの少なくとも一つの方向性ＵＩ（Ｕｓｅｒ  Ｉｎｔｅｒｆａｃｅ）機能を行う方向入力部と、前記携帯電話または無線通信デバイスが備えている特定の機能を駆動させる機能入力部と、を含むことが好ましい。
【００３７】
前記方向入力部は、側方向加圧に基づいて方向信号を発生させる方向入力ユニットと、前記方向入力ユニットの中央部に配置され、下向き加圧によって前記方向信号とは異なる追加の信号を発生させる押圧ボタンと、を含み、前記機能入力部は、少なくとも一つの機能ボタンを含み、前記補助ボタンは、前記押圧ボタンまたは前記機能ボタンの機能を行うことが好ましい。
【００３８】
前記補助ボタンが前記携帯電話、携帯電話ケースまたは無線通信デバイスの側面に取り付けられるように、前記延長バーの先端は可撓性を有するように形成されることが好ましい。
【００３９】
前記携帯電話が実装される携帯電話ケースには、前記本体を収容するホールまたは溝が形成されることが好ましい。
【００４０】
前記携帯電話ケースのホールまたは溝の内周面には第１の締結部を形成し、前記本体の、前記第１の締結部と対応する部分には第２の締結部を形成し、前記第１の締結部及び第２の締結部を相互結合させることにより、前記本体が前記携帯電話から脱落することを防止することが好ましい。
【発明の効果】
【００４１】
本発明に係るパッチ型コントローラは、携帯電話、携帯電話ケースまたは無線通信デバイスに連結することができる連結部と、入力部と、を備える本体と；携帯電話または無線通信デバイスのうちの少なくとも一つを制御する制御部と；を含むパッチ型コントローラを提供することにより、ユーザが携帯端末を片手で支持すると同時に、別の入力ボタンを介して携帯端末を制御することができるので、ユーザの携帯端末の使いやすさを向上させることができるという効果がある。
【００４２】
さらに、入力ボタンを、プッシュボタンと押圧ボタンとの組み合わせにより様々な信号を生成できるように構成するので、製造コストを削減し、携帯端末の高さ制限を克服することができる携帯端末ケースを提供することができるという効果がある。
【００４３】
本発明の効果は、以上で言及したものに限定されず、言及されていない他の効果は、以下の記載から、当該技術分野における通常の知識を有する者に明確に理解されるであろう。
【図面の簡単な説明】
【００４４】
【図１】本発明の第１の実施例に係るパッチ型コントローラを示す図である。
【図２】本発明の第１の実施例に係るパッチ型コントローラを示す図である。
【図３】本発明の第２の実施例に係るパッチ型コントローラを示す図である。
【図４】本発明の第２の実施例に係るパッチ型コントローラを示す図である。
【図５】本発明の第３の実施例に係るパッチ型コントローラが携帯電話に取り付けられた状態を示す図である。
【図６】本発明の第３の実施例に係るパッチ型コントローラを示す図である。
【図７】本発明の第３の実施例に係るパッチ型コントローラを示す図である。
【図８】本発明に係るパッチ型コントローラの構成のうち方向入力部として活用可能なスマートボタンの実施例を示す図である。
【図９】本発明に係るパッチ型コントローラの構成のうち方向入力部として活用可能なスマートボタンの実施例を示す図である。
【発明を実施するための形態】
【００４５】
以下、添付図面を参照して本発明に係る好適な実施例を詳細に説明するが、添付図面において、同一または類似の構成要素には同一符号を付して重複説明は省略する。
【００４６】
また、本発明を説明するにあたって、関連した公知技術についての具体的な説明が本発明の要旨を不明にすると判断される場合、その詳細な説明を省略する。また、添付図面は、本発明の思想を容易に理解することができるようにするためのものであり、添付図面により本発明の思想が制限されると解釈されてはならないことを留意しなければならない。
【００４７】
以下、図１及び図２を参照して、本発明に係るパッチ型コントローラの第１の実施例について説明する。図１及び図２は、本発明の第１の実施例に係るパッチ型コントローラを示す図である。
【００４８】
本発明の第１の実施例に係るパッチ型コントローラは、本体１０００及び制御部を含む。
【００４９】
本体１０００は、具体的には連結部１００及び入力部を備えており、連結部１００は、本体１０００の底面または側面に形成されており、携帯電話１０、携帯電話のケースまたはタブレットなどの無線通信デバイスに連結できるようにする構成要素である。
【００５０】
制御部は、携帯電話１０または無線通信デバイスを制御する機能を行う構成要素である。
【００５１】
特に、本発明の第１の実施例に係るパッチ型コントローラでは、図１及び図２に示すように、連結部１００が本体１０００の側面または底面から本体の側方向に延設され、このような連結部１００は、携帯電話１０、携帯電話が既に収容された携帯電話ケースまたは無線通信デバイスを据え置き可能な形状に形成される。
【００５２】
また、本発明の第１の実施例に係るパッチ型コントローラの連結部１００は、図２に示すように、本体１０００と着脱可能に形成されることが好ましい。
【００５３】
一方、本発明の第１の実施例に係るパッチ型コントローラの本体１０００の上面には、方向入力部２１０及び機能入力部２２０が配置され、さらにタッチパッド２３０などの追加入力手段が配置されてもよく、入力部についての具体的な内容は後述する。
【００５４】
上述した本発明の第１の実施例に係るパッチ型コントローラを携帯電話、携帯電話ケースまたは無線通信デバイスに結合することにより、パッチ型コントローラをゲームパッドのように使用することができる。
【００５５】
以下、図３及び図４を参照して、本発明の第２の実施例に係るパッチ型コントローラについて説明する。図３及び図４は、本発明の第２の実施例に係るパッチ型コントローラを示す図である。
【００５６】
本発明の第２の実施例に係るパッチ型コントローラは、本体１０００及び制御部を含む。
【００５７】
本体１０００は、具体的には連結部１００及び入力部を備えており、連結部１００は、本体１０００の底面または側面に形成されており、携帯電話１０、携帯電話のケースまたはタブレットなどの無線通信デバイスに連結できるようにする構成要素である。
【００５８】
制御部は、携帯電話１０または無線通信デバイスを制御する機能を持つ構成要素である。
【００５９】
また、本発明の第２の実施例に係るパッチ型コントローラでは、上述した本発明の第１の実施例に係るパッチ型コントローラと同様に、連結部１００が本体１０００の側面または底面から本体の側方向に延設され、このような連結部１００は、携帯電話１０、携帯電話が既に収容された携帯電話ケースまたは無線通信デバイスを据え置き可能な形状に形成される。
【００６０】
特に、本発明の第２の実施例に係るパッチ型コントローラの場合、図３及び図４に示すように、本体１０００は、入力部を有する２つの分割体からなり、連結部１００は、２つの分割体の間に配置できるように、連結部１００及び２つの分割体が連結される。
【００６１】
図３及び図４の場合では、携帯端末を左右方向に横置きした状態で、２つの分割体を連結部１００の左側及び右側に別々に連結しているが、上側及び下側に別々に連結してもよい。さらに分割体を２つではなく２つ以上にし、例えば上側、下側、左側および右側の４つの分割体が連結部１００を中心として配置されてもよい。
【００６２】
また、本発明の第２の実施例に係るパッチ型コントローラの連結部１００は、図４に示すように、分割体と着脱可能に形成されることが好ましい。
【００６３】
一方、本発明の第２の実施例に係るパッチ型コントローラの分割体の上面には、方向入力部２１０及び機能入力部２２０がそれぞれ配置されてもよく、入力部についての具体的な内容は後述する。
【００６４】
上述した本発明の第２の実施例に係るパッチ型コントローラを携帯電話、携帯電話ケースまたは無線通信デバイスに結合することにより、ユーザが２つの分割体を両手でそれぞれ把持できるようパッチ型コントローラを構成することができる。
【００６５】
以下、図５乃至図７を参照して、本発明の第３の実施例に係るパッチ型コントローラについて説明する。図５は、本発明の第３の実施例に係るパッチ型コントローラが携帯電話に取り付けられた状態を示す図であり、図６及び図７は、本発明の第３の実施例に係るパッチ型コントローラを示す図である。
【００６６】
本発明の第３の実施例に係るパッチ型コントローラは、本体１０００及び制御部を含む。
【００６７】
具体的には、本体１０００は、連結部１００及び入力部を備えており、連結部１００は、その一方の側面が本体１０００の底面に配置された接着部材であり、接着部材の他方の側面は、携帯電話１０、携帯電話ケースまたは無線通信デバイスの一側に接着される。
【００６８】
前述したような構成により、本発明の第３の実施例に係るパッチ型コントローラは、図５に示すように、携帯電話１０などの背面に取り付けられる。
【００６９】
制御部は、携帯電話１０または無線通信デバイスを制御する機能を行う構成要素である。
【００７０】
また、本発明の第３の実施例に係るパッチ型コントローラの本体１０００には、方向入力部２１０及び機能入力部２２０がそれぞれ配置されてもよく、入力部の具体的な内容は後述する。
【００７１】
特に、本発明の第３の実施例に係るパッチ型コントローラの本体１０００は、ユーザが指を挿入して携帯電話１０などを支持できるように形成され、支持部４１０、４３０をさらに含む。
【００７２】
このような支持部４１０は、図６に示すように、「Ｕ」字状に形成され、その一方の端及び他方の端が本体１０００の一方の側面及び他方の側面とそれぞれ連結されるが、支持部４１０が本体１０００から上下方向に回動可能に本体１０００と連結されるように構成されてもよい。
【００７３】
また、図７に示すように、本体１０００の上面に配置される連結部材４２０をさらに含み、「Ｏ」字状に形成された支持部４３０が連結部材４２０と連結されるが、連結部材４２０から上下方向に回動可能に連結される必要がある。
【００７４】
併せて、前述した連結部材４２０は、本体１０００を中心に左右方向に回動可能に本体１０００の上面に設けられてもよく、この場合、結果として、支持部４３０は、本体１０００を基準として上下左右方向に回転することができる。
【００７５】
一方、本発明の第３の実施例に係るパッチ型コントローラの本体１０００の上面には、方向入力部２１０及び機能入力部２２０がそれぞれ配置されてもよく、入力部についての具体的な内容は後述する。
【００７６】
以下では、上述した本発明の第１の実施例乃至第３の実施例に係るパッチ型コントローラの入力部について、図８及び図９を参照して説明する。図８及び図９は、本発明に係るパッチ型コントローラの構成要素のうち、方向入力部として活用可能なスマートボタンの複数の実施例を示す図である。
【００７７】
上述したように、本発明に係るパッチ型コントローラは、本体１０００の上面に入力部を備えており、このような入力部は、方向入力部２１０及び機能入力部２２０を含むことができる。
【００７８】
方向入力部２１０は、方向キーの機能、マウスの機能及びスクロール機能のうちの少なくとも一つの方向性ＵＩ（Ｕｓｅｒ  Ｉｎｔｅｒｆａｃｅ）機能を持つ構成要素である。
【００７９】
また、方向入力部２１０は、側方向加圧に基づいて方向信号を発生させる方向入力ユニット２１１と、方向入力ユニット２１１の中央部に配置され、下向き加圧によって方向信号とは異なる追加の信号を発生させる押圧ボタン２１２と、を含んでいてもよい。
【００８０】
さらに、押圧ボタン２１２によって発生した追加の信号は、クリック信号またはエンター信号であってもよく、または、携帯電話の通話オン／オフ信号または携帯電話のスピーカフォン機能のオン／オフ信号であってもよい。
【００８１】
一方、本発明に係るパッチ型コントローラは、方向入力部２１０から発生する方向信号の方向性を設定することができる設定ボタンをさらに含んでいてもよい。
【００８２】
例えば、本発明の第１の実施例及び第２の実施例に係るパッチ型コントローラの場合の方向入力部２１０は、携帯電話１０のディスプレイ方向側に配置されるのに対し、本発明の第３の実施例に係るパッチ型コントローラの場合の方向入力部２１０は、携帯電話１０のディスプレイと反対方向側に配置される。
【００８３】
したがって、本発明の第１の実施例、第２の実施例による方向入力部２１０における左／右方向の設定は、本発明の第３の実施例による方向入力部２１０の場合と逆に設定する必要があるため、本発明に係るパッチコントローラは、それを設定できる設定ボタンをさらに含むことが望ましい。
【００８４】
また、携帯電話１０または無線通信デバイスには、方向入力部２１０から発生する方向信号の方向性を設定するためのアプリケーションまたはプログラムをインストールし、このようなアプリケーションまたはプログラムによって方向信号の方向性を設定することもできる。
【００８５】
さらに、このような方向信号の方向性の設定を、ユーザが手動で入力することなく、携帯電話１０または無線通信デバイス内での加速度センサ、ジャイロセンサなどと連動して、自動的に設定することもできる。
【００８６】
一方、上述した方向入力部２１０の場合、図８及び図９に示すスマートボタンが適用可能であり、これにより方向入力部２１０の構造及び機能の実現が可能である。
【００８７】
まず、図８を参照して、本発明に係るパッチ型コントローラに適用される方向入力部２１０の一例を説明する。
【００８８】
本発明に係るパッチ型コントローラに適用される方向入力部２１０は、ハウジング１１１０、プッシュボタン１１２０、センサ１１３０及び接点１１４０を含む。
【００８９】
ハウジング１１１０は、上側が開放された内側空間を有するように形成される。
【００９０】
プッシュボタン１１２０は、ハウジング１１００に設けられた内側空間に載置され、内側空間に載置された状態で固定されるのではなく、前後及び左右などの側面方向に所定の距離移動できるように構成される。
【００９１】
センサ１１３０は、プッシュボタン１１２０の外側面またはハウジング１１１０の内側面のいずれか一方に備えられる構成要素であり、接点１１４０は、プッシュボタン１１２０の外側面またはハウジング１１１０の内側面のいずれか他方に備えられる構成要素である。
【００９２】
具体的には、このようなセンサ１１３０は、２つ以上の端子スイッチを備えるフレキシブルプリント回路基板により形成されてもよく、このとき、端子スイッチがセンサ１１３０の役割を果たす。
【００９３】
接点１１４０は、導電体からなることが好ましく、最終的にプッシュボタン１１２０が側方向にプッシュされると、プッシュボタン１１２０の移動方向に位置するセンサ１１３０に接触され、接触されたセンサ１１３０に割り当てられた入力信号が発生する。
【００９４】
上述したように側方向にボタンをプッシュして加圧することにより入力信号が発生するプッシュ方式の入力ボタンは、既に様々な構造で提案されているが、従来のプッシュ方式の入力ボタンは、側方向加圧を感知するための加圧センサを必要とするので、信号入力装置の製造コストが非常に高くならざるを得ないという欠点があった。
【００９５】
特に、ボタンをどの方向にプッシュするかによって異なる種類の入力信号が発生するように構成される場合、加圧力が印加される各方向別に１つずつの加圧センサを取り付ける必要があるため、前記のような製造コストの問題はさらに大きくなるという欠点があった。
【００９６】
しかし、本発明に係るパッチ型コントローラに適用される方向入力部２１０の一例によれば、各方向別に別途の加圧センサがなくても、加圧力が側方に印加されたときに、当該方向に応じてそれぞれ異なる種類の入力信号を発生させることができるという利点がある。
【００９７】
一方、前記プッシュボタン１１２０がいずれか一側にプッシュされて移動するにつれて、接点１１４０がいずれか１つのセンサ１１３０に接触した後、前記プッシュボタン１１２０に印加された加圧力が解除されても前記センサ１１３０の接触状態が維持される場合、ユーザの意図に反して入力信号が持続的に発生する可能性がある。
【００９８】
このような不具合を解決するために、前記プッシュボタン１１２０が側方向に移動したとき、前記センサ１１３０と前記接点１１４０とが離隔するように前記プッシュボタン１１２０の位置を復帰させる弾性部材１１６０をさらに含むことが好ましい。
【００９９】
このように弾性部材１１６０が備えられると、前記プッシュボタン１１２０に印加された側方向の外力が解除されたとき、前記プッシュボタン１１２０は、前記弾性部材１１６０の弾性力によって初期位置に復帰するので、センサ１１３０と接点１１４０とが離隔した状態、すなわち、いかなる入力信号も発生しない状態となる。
【０１００】
また、本発明に係るパッチ型コントローラに適用される方向入力部２１０の一例は、図８に示すように、ハウジングの底面に配置されるスイッチ１１７０と、プッシュボタン１１２０の上面に配置される押圧ボタン１１５０と、をさらに含むことができる。
【０１０１】
押圧ボタン１１５０は、プッシュボタン１１２０を上向き貫通して外部に露出され、底部が前記スイッチ１１７０上に載置されており、下向き加圧力が印加されると、下方にプッシュされて前記スイッチ１１７０を押圧することになり、これにより、プッシュボタン１１２０の移動により発生する信号とは異なる信号を発生させる。
【０１０２】
したがって、プッシュボタン１１２０と押圧ボタン１１５０との作動の組み合わせに基づいて、様々な信号の発生が可能となる。
【０１０３】
以下では、図９を参照して、本発明に係るパッチ型コントローラに適用される方向入力部２１０の他の例を説明する。
【０１０４】
本発明に係るパッチ型コントローラに適用される方向入力部２１０は、ベース部材１１８０、プッシュボタン１１２０、センサ部１１３０、接点１１４０を含んでなる。
【０１０５】
ベース部材１１８０は、底面１１８１及び底面１１８１の中心部側に上向き突出した突出部１１８２を含む。
【０１０６】
プッシュボタン１１２０は、突出部１１８２の上側に配置されるが、突出部１１８２の外面を取り囲むように下向きに形成された下向き側壁１１２１が形成される。
【０１０７】
また、図９に示すように、突出部１１８２の外側面にはセンサ部１１３０が備えられ、下向き側壁１１２１の内側面には、突出部１１８２の外側面のうちの、センサ部１１３０が配置された部分と対応する領域に接点１１４０を備えてもよい。
【０１０８】
逆に、下方側壁１１２１の内側面にセンサ部１１３０が備えられ、突起部１１８２の外側面には、下方側壁１１２１の内側面のうちの、センサ部１１３０が配置された部分と対応する領域に接点１１４０を備えてもよい。
【０１０９】
前記構造において、プッシュボタン１１２０が側方向に移動すると、センサ１１３０及び接点１４００が相互に接触することにより信号を発生させる。具体的には、このようなプッシュボタン１１２０は、上下方向に移動するのではなく、前後及び左右などの側方向に所定の距離移動できるように構成されており、ユーザがプッシュボタン１１２０を側方向にプッシュすると、接点１１４０が、プッシュボタン１１２０が移動する方向に位置するセンサ部１１３０に接触することにより、センサ部１１３０内に形成された複数のセンサのうち当該センサと関連した入力信号が発生する。
【０１１０】
したがって、プッシュボタン１１２０は、回転せずに前後または左右方向にのみ移動できるように構成される必要があり、これはプッシュボタン１１２０の回転が可能である場合、ユーザが所望の当該センサと接点が接触できない可能性があり、これにより、不要な入力信号が発生する可能性があるからである。
【０１１１】
一方、センサ部１１３０としては、タッチセンサまたは触覚センサを使用してもよく、製造コストの削減及び製品の軽量化などを考慮すると、フレキシブル回路基板で構成することが好ましい。
【０１１２】
すなわち、フレキシブル回路基板に少なくとも一つ以上のセンサを配置するが、このようなセンサを、陽極端子及び陰極端子を含む端子スイッチで形成し、接点１１４０を導電体で形成することにより、プッシュボタン１１２０を側方向に移動した場合、端子スイッチの陽極端子及び陰極端子の両方が接点１１４０と接触することになり、これにより前記陽極端子と前記陰極端子が短絡し、その結果、入力信号が発生する。
【０１１３】
このような端子スイッチは、具体的に陽極端子及び陰極端子を互いに離隔させて並べて配置させることができ、さらに水平方向に交互に配列される部位を有するように、すなわち、上下方向に凹凸パターンを有し凹凸部が互い違いに噛み合うように配列される陽極端子及び陰極端子から構成される。前記陽極端子及び陰極端子は、相互に凹凸部が互い違いに噛み合うように配置されるが、相互微細に離隔した状態を維持するように構成されてもよい。
【０１１４】
同時に、接点１１４０の場合、前記陽極端子および陰極端子の相互間の強固な短絡のために接触部位のみを突出するように形成してもよい。
【０１１５】
また、プッシュボタン１１２０を側方向に移動させた後、再び元の位置に復帰させるための弾性部材１１６０をさらに含んでいてもよい。このような弾性部材１１６０としては、プッシュボタン１１２０が側方向に移動する時に圧縮されることによりプッシュボタン１１２０に復元弾性力を印加するカーボンスポンジやシリコンなどの弾性材を適用することが望ましい。
【０１１６】
一方、本発明に係るパッチ型コントローラは、上述したように、方向入力部２１０及び機能入力部２２０を備えており、以下では機能入力部２２０について説明する。
【０１１７】
機能入力部２２０は、上述したように、携帯電話１０または無線通信デバイスが備えている特定の機能を駆動させる役割を果たし、このような機能入力部２２０は、携帯電話１０または無線通信デバイスにインストールされた少なくとも一つの特定のアプリケーションまたは特定のプログラムを実行するための少なくとも一つの機能ボタンを含む。
【０１１８】
例えば、パッチ型コントローラに機能ボタンが３つ備えられていると仮定すると、３つの機能ボタンは、カメラアプリケーション、音楽アプリケーション、Ｗｅｂブラウザアプリケーションをそれぞれ実行させることができる。
【０１１９】
このような機能ボタンによって実行されるアプリケーションまたはプログラムは、ユーザが設定することができ、このために、本発明に係るパッチ型コントローラは、機能ボタンによって実行される特定のアプリケーションを設定するための設定ボタンをさらに含むことができる。
【０１２０】
さらに、携帯電話１０または無線通信デバイスには、機能ボタンによって実行される特定のアプリケーションを設定するためのアプリケーションまたはプログラムがインストールされてもよい。
【０１２１】
一方、機能入力部２２０は、携帯電話１０または無線通信デバイスのホームボタン（Ｈｏｍｅ  Ｂｕｔｔｏｎ）、バックボタン（Ｂａｃｋ  Ｂｕｔｔｏｎ）及び特定のモードボタンのうちの少なくとも一つと対応する少なくとも一つのボタンを含むことができる。
【０１２２】
また、前記機能入力部２２０は、携帯電話１０または無線通信デバイスにおいて音声を文字に変換したり、文字を音声に変換したりする機能を実現するためのボタンを含んでいてもよい。
【０１２３】
本発明の実施例に係るパッチ型コントローラの本体１０００は、入力部及び制御部のうちの少なくとも一つに電源を供給するためのバッテリを含む。
【０１２４】
特に、このようなバッテリは充電可能なバッテリであって、本体１０００は、バッテリを充電するためのコネクタ端子を含むことができる。
【０１２５】
このようなコネクタ端子は、パッチ型コントローラが収容または取り付けている携帯電話１０または無線通信デバイスのコネクタ端子と同様なものを適用することにより、使いやすさを考慮したほうがよい。
【０１２６】
また、本発明の実施例に係るパッチ型コントローラの制御部は、携帯電話１０、及び携帯電話と無線通信を介して駆動される駆動デバイスを同時に制御できるように構成されてもよい。
【０１２７】
例えば、駆動デバイスがドローンである場合、ユーザはパッチ型コントローラの入力部を操作してドローンを調整する。
【０１２８】
このとき、ドローンに設けられたカメラにより映像が撮影されるが、撮影された映像データは、携帯電話１０または無線通信デバイスに送信され、携帯電話１０または無線通信デバイスに備えられたディスプレイに当該映像を出力することができる。
【０１２９】
一方、本発明の実施例に係るパッチ型コントローラは、本体１０００の一側面からバー（Ｂａｒ）状に延在する延長バーと、本体１０００と対向する、延長バーの一端に配置される少なくとも一つの補助ボタンと、をさらに含むことができる。
【０１３０】
このような補助ボタンは、前記押圧ボタンまたは機能ボタンの機能を実行し、補助ボタンが携帯電話１０、携帯電話ケースまたは無線通信デバイスの側面に取り付けられるように、延長バーの先端が可撓性を有することが望ましい。
【０１３１】
また、本発明の実施例に係るパッチ型コントローラが取り付けられた携帯電話１０の携帯電話ケースには、パッチ型コントローラの本体１０００を収容するホールまたは溝を形成することが好ましい。
【０１３２】
例えば、図５に示すように、パッチ型コントローラが携帯電話１０の底面に取り付けられている場合、この状態で携帯電話１０を携帯電話ケースに実装すると、パッチ型コントローラの高さで問題が発生する。
【０１３３】
したがって、携帯電話のケースの、パッチ型コントローラと対応する領域に溝またはホールを形成することにより、上述した問題を解決することができる。
【０１３４】
また、好ましくは、前記携帯電話ケースのホールまたは溝の内周面には第１の締結部を形成し、前記本体１０の、前記第１締結部と対応する部分には、第２の締結部をし、前記第１の締結部及び第２の締結部を相互結合させることにより、前記本体が前記携帯電話から脱落することを防止することができる。
【０１３５】
以上、本発明を好適な実施例を用いて詳細に説明したが、本発明の範囲は、特定の実施例に限定されるものではなく、添付された特許請求の範囲によって解釈されるべきである。また、この技術分野における通常の知識を習得した者であれば、本発明の範囲から逸脱することなく多くの修正及び変形が可能であることを理解しなければならないであろう。
【図１】
2019530123.tif 000003
【図２】
2019530123.tif 000004
【図３】
2019530123.tif 000005
【図４】
2019530123.tif 000006
【図５】
2019530123.tif 000007
【図６】
2019530123.tif 000008
【図７】
2019530123.tif 000009
【図８】
2019530123.tif 000010
【図９】
2019530123.tif 000011
【手続補正書】
【提出日】令和1年7月17日(2019.7.17)
【手続補正１】
【補正対象書類名】特許請求の範囲
【補正対象項目名】全文
【補正方法】変更
【補正の内容】
【特許請求の範囲】
【請求項１】
本体と；
底面に、携帯電話、携帯電話ケースまたは無線通信デバイスに連結できるように形成された連結部と；
上面または側面に配置されて、ユーザが指を挿入して前記携帯電話、携帯電話ケースまたは無線通信デバイスを支持できるように形成された支持部と；
上面に、ユーザが操作可能に形成された入力部と；
前記入力部を介して前記携帯電話または無線通信デバイスを制御する制御部と；
を含むパッチ型コントローラ。
【請求項２】
前記支持部は、「Ｕ」字状に形成され、一方の端及び他方の端が前記本体の一方の側面及び他方の側面とそれぞれ連結されるが、前記支持部が前記本体から上下方向に回動可能に前記本体と連結される請求項１に記載のパッチ型コントローラ。
【請求項３】
前記本体の上面に配置される連結部材をさらに含み、前記支持部は、「Ｏ」字状に形成され、前記連結部材から上下方向に回動可能に前記連結部材と連結される請求項１に記載のパッチ型コントローラ。
【請求項４】
前記連結部材は、前記本体から左右方向に回動可能に前記本体の上面に設けられる請求項３に記載のパッチ型コントローラ。
【請求項５】
前記入力部は、
方向キーの機能、マウスの機能及びスクロール機能のうちの少なくとも一つの方向性ＵＩ（Ｕｓｅｒ  Ｉｎｔｅｒｆａｃｅ）機能を行う方向入力部と；
前記携帯電話または無線通信デバイスが備えている特定の機能を駆動させる機能入力部と；
を含む請求項１に記載のパッチ型コントローラ。
【請求項６】
前記方向入力部は、
側方向加圧に基づいて方向信号を発生させる方向入力ユニットと；
前記方向入力ユニットの中央部に配置され、下向き加圧によって前記方向信号とは異なる追加の信号を発生させる押圧ボタンと；
を含む請求項５に記載のパッチ型コントローラ。
【請求項７】
前記追加の信号は、クリック信号、エンター信号、携帯電話の通話オン／オフ信号及び携帯電話のスピーカフォン機能のオン／オフ信号のうち少なくとも一つである請求項６に記載のパッチ型コントローラ。
【請求項８】
前記方向入力部から発生する方向信号の方向性を設定することができる設定ボタンをさらに含む請求項５に記載のパッチ型コントローラ。
【請求項９】
前記携帯電話または無線通信デバイスには、前記方向入力部から発生する方向信号の方向性を設定するためのアプリケーションまたはプログラムがインストールされる請求項５に記載のパッチ型コントローラ。
【請求項１０】
前記機能入力部は、前記携帯電話または無線通信デバイスにインストールされた少なくとも一つの特定のアプリケーションを実行するための少なくとも一つの機能ボタンを含む請求項５に記載のパッチ型コントローラ。
【請求項１１】
前記機能ボタンによって実行される特定のアプリケーションを設定するための設定ボタンをさらに含む請求項１０に記載のパッチ型コントローラ。
【請求項１２】
前記携帯電話または無線通信デバイスには、前記機能ボタンによって実行される特定のアプリケーションを設定するためのアプリケーションまたはプログラムがインストールされる請求項１０に記載のパッチ型コントローラ。
【請求項１３】
前記機能入力部は、携帯電話または無線通信デバイスのホームボタン（Ｈｏｍｅ  Ｂｕｔｔｏｎ）、バックボタン（Ｂａｃｋ  Ｂｕｔｔｏｎ）及び特定のモードボタンのうちの少なくとも一つと対応する少なくとも一つのボタンを含む請求項５に記載のパッチ型コントローラ。
【請求項１４】
前記機能入力部は、携帯電話または無線通信デバイスにおいて音声を文字に変換したり、文字を音声に変換したりする機能を実現するボタンを含む請求項５に記載のパッチ型コントローラ。
【請求項１５】
前記本体は、前記入力部及び制御部のうちの少なくとも一つに電源を供給するバッテリをさらに含み、前記バッテリを充電するためのコネクタ端子を含む請求項１に記載のパッチ型コントローラ。
【国際調査報告】
2019530123.tif 000012
2019530123.tif 000013
2019530123.tif 000014
2019530123.tif 000015
2019530123.tif 000016
2019530123.tif 000017
2019530123.tif 000018
2019530123.tif 000019